(57)【要約】【課題】本考案は、防犯ゲートを来店者の目に触れにくいようにして設置しつつ、商品等の広告を表示可能とし、効率的な販売促進を行うことができる販促物の提供を目的とした。【解決手段】本考案の販促物１０は、防犯ゲート１の少なくとも一部を覆うことができるカバー１２を有し、カバー１２が、広告を表示することができる表示領域１８を備え、防犯ゲート１にカバー１２を被せた状態において、表示領域１８に表示された広告を視認可能であることを特徴とする。【選択図】  図１
0003217478.tif 000002
【実用新案登録請求の範囲】
【請求項１】
防犯ゲートの少なくとも一部を覆うことができるカバーを有し、
前記カバーが、
広告を表示することができる表示領域を備え、
前記防犯ゲートに前記カバーを被せた状態において、前記表示領域に表示された広告を視認可能であることを特徴とする販促物。
【請求項２】
前記カバーの表面に設けられる物品保持部を有し、
前記物品保持部が、物品を係止可能なフックを備えていることを特徴とする請求項１に記載の販促物。
【請求項３】
前記フックが、前記防犯ゲートの上下方向に所定の間隔で並べて配置されていることを特徴とする請求項２に記載の販促物。
【請求項４】
前記物品保持部が、前記防犯ゲートの幅方向両端側、あるいは一端側に設けられていることを特徴とする請求項２又は３に記載の販促物。
【請求項５】
前記物品保持部が、前記表示領域の側方に設けられていることを特徴とする請求項２〜４のいずれかに記載の販促物。
【請求項６】
前記物品保持部が、前記カバーの表面に固定される基材に切り目を設けることにより前記フックが形成されたものであり、
前記基材が、透光性を有するものであることを特徴とする請求項２〜５のいずれかに記載の販促物。
【請求項７】
前記カバーが、
前記カバーの一部を切り抜いた孔として形成された窓部を備え、
前記防犯ゲートに前記カバーを被せた状態において、前記防犯ゲートの少なくとも一部が前記窓部から露出することを特徴とする請求項１〜６のいずれかに記載の販促物。
【請求項８】
前記防犯ゲートが、所定の信号を送信する送信部及び所定の信号を受信する受信部のうち、少なくとも一方を備えるものであり、
前記防犯ゲートに前記カバーを被せた状態において、前記送信部及び前記受信部のうち、少なくとも一方が前記窓部から露出することを特徴とする請求項７に記載の販促物。
【請求項９】
前記カバーが、袋状とされたものであることを特徴とする請求項１〜８のいずれかに記載の販促物。
【請求項１０】
前記カバーが、
前記防犯ゲートを挟むように覆う第一構成部と第二構成部とを備え、
前記第一構成部と前記第二構成部とが、連結部を介して連結されており、
前記防犯ゲートに前記カバーを被せた状態において、前記第一構成部及び前記第二構成部が前記連結部を境界として前記防犯ゲートに吊り下げられた状態で保持されることを特徴とする請求項１〜９のいずれかに記載の販促物。
【請求項１１】
前記表示領域には、商品あるいは店舗の広告が表示されていることを特徴とする請求項１〜１０のいずれかに記載の販促物。
【請求項１２】
防犯ゲートの少なくとも一部を覆うことができるカバーの表面に設けられることにより、物品を係止可能とするものであって、
物品を係止可能なフックを備えていることを特徴とする物品保持部材。
【請求項１３】
前記フックを前記防犯ゲートの上下方向に所定の間隔で並べて配置可能であることを特徴とする請求項１２に記載の物品保持部材。
【請求項１４】
前記防犯ゲートの幅方向両端側、あるいは一端側に設けられることを特徴とする請求項１２又は１３に記載の物品保持部材。
【請求項１５】
前記カバーが、広告を表示することができる表示領域を有するものであり、
前記表示領域の側方に設置可能であることを特徴とする請求項１２〜１４のいずれかに記載の物品保持部材。
【請求項１６】
前記カバーの表面に固定される基材に切り目を設けることにより前記フックが形成されたものであり、
前記基材が、透光性を有することを特徴とする請求項１２〜１５のいずれかに記載の物品保持部材。
【考案の詳細な説明】
【技術分野】
【０００１】
本考案は、商品や店舗、あるいは企業の広告などを表示するための販促物に関する。
【背景技術】
【０００２】
従来、商品広告や企業広告、あるいはセール情報など、販売促進を目的とした情報を表示するためのポスターや垂れ幕等の販促物は、様々な形態のものが提供されている。また、これらの販促物は、商品のイメージや用途など、様々な情報を来店客に訴求するために活用されている。
【０００３】
例えば、下記特許文献１には、掲示板のようにポスターなどを表示することができる複合広告装置が開示されている。特許文献１の複合広告装置は、２４時間いつでもカタログやパンフレット等を入手することができ、またひとつの広告装置を広告主の要望に応じて広告面積を変えて使用することができるとされている。
【先行技術文献】
【特許文献】
【０００４】
【特許文献１】特開平６−８９０７６号公報
【考案の概要】
【考案が解決しようとする課題】
【０００５】
その一方で、近年では様々な業態の小売店舗において、万引きによる被害を抑制するために、店舗の出入口や通路への防犯ゲートの設置が増加しつつある。防犯ゲートは、店舗出入口など来店者の目に付きやすいスペースを割いて設置されている。その一方で、防犯ゲートが来店者の目に付きやすい場所に設置されると、善良な来店者にとっては、店舗側から監視されているような感覚を持って不快感を覚え、購買意欲の低下につながるなど、防犯ゲートが来店者の目に触れやすいことによる弊害もある。
【０００６】
また、防犯ゲートを店舗の出入口に設置すると、来店者に商品の購買意欲を喚起するための商品広告やセール情報などの販促物を掲示するスペースが削られるといった問題がある。このように、限りあるスペースに防犯ゲートを設置する必要に迫られる一方、商品の広告等を表示するスペースが削られるといった課題がある。
【０００７】
そこで本考案は、防犯ゲートを来店者の目に触れにくいようにして設置しつつ、商品等の広告を表示可能とし、効率的な販売促進を行うことができる販促物の提供を目的とした。
【課題を解決するための手段】
【０００８】
上述の課題を解決すべく提供される本考案の販促物は、防犯ゲートの少なくとも一部を覆うことができるカバーを有し、前記カバーが、広告を表示することができる表示領域を備え、前記防犯ゲートに前記カバーを被せた状態において、前記表示領域に表示された広告を視認可能であることを特徴とするものである。
【０００９】
本考案の販促物によれば、防犯ゲートを来店者の目に触れにくいようにしつつ設置することができる。これにより本考案の販促物は、防犯ゲートが来店客の目に触れて来店客に不快感を与える、あるいは購買意欲の低下に繋がるといった弊害を抑制しつつ、防犯ゲートを設置することができる。
【００１０】
また、本考案の販促物によれば、防犯ゲートを店舗の出入口に設置しつつ、防犯ゲートに被せられたカバーに広告等の表示を行うことができる。これにより、本考案の販促物は、限られたスペースを活用して広告等の表示を行うことができる。その結果、本考案の販促物は、効率的な販売促進を行うことができる。
【００１１】
本考案の販促物は、前記カバーの表面に設けられる物品保持部を有し、前記物品保持部が、物品を係止可能なフックを備えているものであってもよい。
【００１２】
上述の構成によれば、防犯ゲートを覆い隠しつつ、サンプルを提示して提供することができる。これにより、本考案の販促物は、より効率的かつ効果的な販売促進を行うことができる。
【００１３】
また、本考案の販促物の前記フックは、前記防犯ゲートの上下方向に所定の間隔で並べて配置されているものであってもよい。
【００１４】
上述の構成によれば、複数のサンプル等の物品を提示して提供することができる。これにより、本考案の販促物は、より多くのサンプルを提供して、効果的な販売促進を行うことができる。
【００１５】
また、本考案の販促物は、前記物品保持部が、前記防犯ゲートの幅方向両端側、あるいは一端側に設けられているものであることが望ましい。
【００１６】
上述の構成によれば、広告等の表示内容がサンプル等の物品に隠れてしまうことを低減させつつ、サンプル等を提示して提供することができる。これにより、本考案の販促物は、広告の表示と商品サンプルの提示とを並立して行い、効果的な販売促進を行うことができる。
【００１７】
さらに、本考案の販促物は、前記物品保持部が、前記表示領域の側方に設けられているものであってもよい。
【００１８】
上述の構成によれば、広告等の表示内容がサンプル等の物品に隠れてしまうことを低減させつつ、サンプル等を提示して提供することができる。これにより、本考案の販促物は、広告の表示と商品サンプルの提示とを並立して行い、効果的な販売促進を行うことができる。
【００１９】
本考案の販促物は、前記物品保持部が、前記カバーの表面に固定される基材に切り目を設けることにより前記フックが形成されたものであり、前記基材が、透光性を有するものであってもよい。
【００２０】
上述の構成によれば、物品保持部が取り付けられる部分の表示領域に文字等が表示されている場合でも、当該文字等を視認させることができる。
【００２１】
本考案の販促物は、前記カバーが、前記カバーの一部を切り抜いた孔として形成された窓部を備え、前記防犯ゲートに前記カバーを被せた状態において、前記防犯ゲートの少なくとも一部が前記窓部から露出するものとしてもよい。
【００２２】
上述の構成によれば、防犯ゲートから送信される、又は防犯ゲートが受信する信号の通信を円滑に行い得る。
【００２３】
本考案の販促物は、前記防犯ゲートが、所定の信号を送信する送信部及び所定の信号を受信する受信部のうち、少なくとも一方を備えるものであり、前記防犯ゲートに前記カバーを被せた状態において、前記送信部及び前記受信部のうち、少なくとも一方が前記窓部から露出するものとしてもよい。
【００２４】
上述の構成によれば、防犯ゲートから送信される、又は防犯ゲートが受信する信号の通信を円滑に行い得る。
【００２５】
また、本考案の販促物は、前記カバーが、袋状とされたものであることが望ましい。
【００２６】
上述の構成によれば、簡単、かつ着実にカバーを防犯ゲートに被せることができる。また、カバーを防犯ゲートに被せた状態において、防犯ゲートからカバーが外れることを抑制することができる。
【００２７】
さらに、本考案の販促物は、前記カバーが、前記防犯ゲートを挟むように覆う第一構成部と第二構成部とを備え、前記第一構成部と前記第二構成部とが、連結部を介して連結されており、前記防犯ゲートに前記カバーを被せた状態において、前記第一構成部及び前記第二構成部が前記連結部を境界として前記防犯ゲートに吊り下げられた状態で保持されるものであってもよい。
【００２８】
上述の構成によれば、販促物を防犯ゲートに吊り下げた状態で、防犯ゲートの両側の面を覆い隠すように広告を表示することができる。
【００２９】
本考案の販促物は、前記表示領域には、商品あるいは店舗の広告が表示されているものとすることができる。
【００３０】
上述の構成によれば、防犯ゲートが設置される店舗の販売促進対象とされた商品や、店舗のセール情報などの広告を表示して、効率的な販売促進を行うことができる。
【００３１】
本考案の物品保持部材は、防犯ゲートの少なくとも一部を覆うことができるカバーの表面に設けられることにより、物品を係止可能とするものであって、物品を係止可能なフックを備えていることを特徴とするものである。
【００３２】
本考案の物品保持部材によれば、防犯ゲートを覆い隠すように防犯ゲートに装着されたカバーに対し、サンプルを係止させることができる。これにより、本考案の物品保持部材は、より効率的かつ効果的な販売促進を行うことができる。
【００３３】
また、本考案の物品保持部材は、前記フックを前記防犯ゲートの上下方向に所定の間隔で並べて配置可能であることが望ましい。
【００３４】
上述の構成によれば、複数の商品サンプルを提示して提供することができる。これにより、本考案の物品保持部材は、より多くの商品サンプルを提供して、効果的な販売促進を行うことができる。
【００３５】
本考案の物品保持部材は、前記防犯ゲートの幅方向両端側、あるいは一端側に設けられるものであってもよい。
【００３６】
上述の構成によれば、広告等の表示内容がサンプル等の物品に隠れてしまうことを低減させつつ、サンプル等を提示して提供することができる。これにより、本考案の物品保持部材は、広告の表示と商品サンプルの提示とを並立して行い、効果的な販売促進を行うことができる。
【００３７】
本考案の物品保持部材は、前記カバーが、広告を表示することができる表示領域を有するものであり、前記表示領域の側方に設置可能であることが望ましい。
【００３８】
上述の構成によれば、広告等の表示内容がサンプル等の物品に隠れてしまうことを低減させつつ、サンプル等を提示して提供することができる。これにより、本考案の物品保持部材は、広告の表示と商品サンプルの提示とを並立して行い、効果的な販売促進を行うことができる。
【００３９】
本考案の物品保持部材は、前記カバーの表面に固定される基材に切り目を設けることにより前記フックが形成されたものであり、前記基材が、透光性を有するものであってもよい。
【００４０】
上述の構成によれば、物品保持部が取り付けられる部分の表示領域に文字等が表示されている場合でも、当該文字等を視認させることができる。
【考案の効果】
【００４１】
本考案によれば、防犯ゲートを来店者の目に触れにくいようにして設置しつつ、商品等の広告を表示可能とし、効率的な販売促進を行うことができる販促物を提供することができる。
【図面の簡単な説明】
【００４２】
【図１】本考案の実施形態に係る販促物を示す斜視図である。
【図２】図１の販促物を示す平面図である。（ａ）は展開させた状態、（ｂ）は両脇を貼付して袋状に形成された状態を示している。
【図３】図１の販促物の物品保持部を示している。（ａ）は正面図、（ｂ）は図３（ａ）のＡ−Ａ’線断面図である。
【図４】図１の販促物が被せられた防犯ゲートを、店舗の出入口に設置させた状態を示す斜視図である。
【考案を実施するための形態】
【００４３】
以下、本考案の実施形態に係る販促物１０について、図面を参照しつつ具体的に説明する。
【００４４】
図１に示すとおり、販促物１０は、遮蔽対象である防犯ゲート１を覆い隠して、広告などを表示するためのものである。なお、以下の説明では、先ず販促物１０の遮蔽対象とされた防犯ゲート１について説明し、次いで販促物１０について説明する。なお、以下の説明において、防犯ゲート１が設置された状態における上下方向を、単に「上下方向Ｈ」と記載して説明する場合がある。また、防犯ゲート１が設置された状態における幅方向を、単に「幅方向Ｗ」と記載して説明する場合がある。
【００４５】
＜防犯ゲートについて＞
販促物１０の遮蔽対象である防犯ゲート１は、ドラッグストア、衣料品販売店等、様々な業態の小売店舗の店舗出入口に設置されるものである。防犯ゲート１は、検知対象物（防犯ラベルや防犯タグ）が監視領域に侵入すると、検知対象物があることを検知して報知を行い、万引き被害を未然に防ぐことを目的とするものである。
【００４６】
防犯ゲート１には、送信専用ゲート及び受信専用ゲートが一対で機能する「分離型ゲート」や、１台で送受信を行うトランシーバー型などがある。防犯ゲート１は、一対の防犯ゲート１から磁界や電波を発射して一対の防犯ゲート１の間に監視領域を構築する。防犯ゲート１は、監視領域内に後述するタグ等の検知対象物が侵入すると、位相のズレやパルスの発生等の乱れを受信ゲートのアンテナが検知して、警報音などを発する。
【００４７】
また、防犯ゲート１の検知対象物は、商品に貼付されるシールタイプの防犯ラベルや、樹脂等のケースにコイルタグを収容させてピンやケーブルで商品に取り付けられる防犯タグなどがある。防犯ラベルは、無効化シールが貼付されることにより、又は防犯ラベル消去器にかざすことにより、防犯ゲート１による検知が無効化される。また、防犯タグは、商品の精算時に解除器などを用いて商品から取り外される。
【００４８】
防犯ゲート１は、無効化されていない防犯ラベルが貼付された商品や、防犯タグが取り付けられたままの商品の通過を検知して作動し、警報音などを発生させ、未精算商品の持ち出しを報知して万引きを未然に防ぐことを目的として設置される。
【００４９】
防犯ゲート１は、一般的には未精算商品の持ち出しを監視するため、店舗の出入口に設置される。また、防犯ゲート１は、設置された状態において、人の身長に近い高さを備えている（図４参照）。言い換えれば、防犯ゲート１は、店舗出入口など来店者の目に触れやすい場所に設置される大きな設置物である。本考案の販促物１０は、このような大きな設置物である防犯ゲート１を覆い隠しつつ、店頭の限られたスペースにおいて広告等を表示させることができる。
【００５０】
＜販促物について＞
続いて、販促物１０の構成について説明する。図１に示すとおり、本考案の販促物１０は、防犯ゲート１を覆い隠すことができる。また、図１及び図２に示すとおり、本実施形態の販促物１０は、シート素材により形成されるカバー１２を備えている。
【００５１】
カバー１２の材質は、シート状の素材として、紙、合成紙、ビニール素材、布等、いかなる素材を用いてもよい。例えば、カバー１２は、ポリエステル系の繊維を合成樹脂フィルムで包んだビニール素材であるターポリンなどを用いることができる。
【００５２】
また、カバー１２に広告を表示するに際し、インクジェット出力、オフセット印刷、などによる出力のほか、カッティングシートなどにより文字等により広告を表示することも可能である。カバー１２に広告を表示する手法は、種々選択可能である。
【００５３】
なお、カバー１２は、防犯ゲート１を覆い隠すため、折り目が付きにくい柔軟性のある素材が用いられることが望ましい。また、カバー１２は、遮蔽対象物である防犯ゲート１を覆い隠す観点から、透光性を有しない素材が用いられることが望ましい。さらに、カバー１２にインクジェット出力などによる印刷を施す場合は、汚れの防止、印刷の退色などを抑制する観点から、印刷面にラミネート加工などが施されることが望ましい。
【００５４】
図２（ａ）に示すとおり、カバー１２は、１枚のシート素材により構成されている。カバー１２は、第一構成部１４ａ、第二構成部１４ｂ、及び連結部１６を備えている。カバー１２は、連結部１６を介して、第一構成部１４ａ及び第二構成部１４ｂが連結されている。また、第一構成部１４ａ及び第二構成部１４ｂは、連結部１６を境界として線対称の形状とされている。
【００５５】
図１に示すとおり、カバー１２は、長手方向の略中央で二つ折りとされ、両脇の接合部３０が接着剤、あるいは両面テープなどの接合手段により接合されて袋状の形状をなしている。より具体的には、図２に示すとおり、カバー１２は、第一構成部１４ａの接合部３０ａと第二構成部１４ｂの接合部３２ａとが接合され、第一構成部１４ａの接合部３０ｂと第二構成部１４ｂの接合部３２ｂとが接合されて、袋状の形状をなしている。
【００５６】
図１に示すとおり、防犯ゲート１にカバー１２を被せた状態では、第一構成部１４ａ及び第二構成部１４ｂが、連結部１６を境界として防犯ゲート１に吊り下げられた状態で保持される。
【００５７】
図１に示すとおり、カバー１２は、袋状とされた状態における外側の面に、印刷などにより広告を表示することができる表示領域１８を備えている。また、図２に示すとおり、表示領域１８は、第一構成部１４ａ側に形成される第一表示領域１８ａと、第二構成部１４ｂ側に形成される第二表示領域１８ｂとを備えている。言い換えれば、カバー１２には、袋状とされた状態において、表裏をなす面の両側に表示領域１８が形成されている。
【００５８】
表示領域１８には、商品や企業、あるいは店舗の広告（図示を省略）が印刷により表示されている。また、表示領域１８に表示させる広告は、第一表示領域１８ａ及び第二表示領域１８ｂの双方に同一意匠の広告を表示させてもよいし、あるいは、異なる意匠の広告を表示してもよい。さらに、表示領域１８に表示される広告は、第一表示領域１８ａ及び第二表示領域１８ｂの双方に、広告対象を同一とする広告を表示してもよいし、第一表示領域１８ａ及び第二表示領域１８ｂに、それぞれ異なる広告対象に係る広告を表示してもよい。
【００５９】
図１に示すとおり、カバー１２には、カバー１２の一部の領域を略矩形に切り抜いた孔として、複数の窓部２０が形成されている。より具体的には、カバー１２には、カバー１２を防犯ゲート１に覆い被せた状態において、防犯ゲート１の上方側に配置される上方窓部２２と、防犯ゲート１の中央側に配置される中央窓部２４とが設けられている。なお、図２に示すとおり、上方窓部２２及び中央窓部２４は、第一構成部１４ａ及び第二構成部１４ｂの双方に、それぞれ設けられている。
【００６０】
図１に示すとおり、販促物１０には、カバー１２とは別体とされた物品保持部４０（物品保持部材）が設けられている。物品保持部４０は、カバー１２の表面に設けられている。また、物品保持部４０は、サンプルＳ（物品）を係止可能なフック４２を備えている。
【００６１】
物品保持部４０は、シート状の樹脂素材とされた基材４１に切り目４４を設けることによりフック４２が形成されている。基材４１は、両面テープ４６や接着剤等を用いて、カバー１２に取り付けられて、固定される。基材４１は、透光性を有する樹脂素材である。
【００６２】
物品保持部４０は、カバー１２の任意の位置に取り付けることができる。例えば、物品保持部４０は、防犯ゲート１の幅方向両端側、あるいは一端側に設けることができる。また、物品保持部４０は、表示領域１８の側方に設けることができる。なお、図１等に示すとおり、本実施形態の販促物１０では、物品保持部４０を防犯ゲート１の幅方向Ｗ一端側に設けた例を示している。また、図１に示す販促物１０では、物品保持部４０を表示領域１８の側方（カバー１２の接合部３０の近傍）に物品保持部４０を取り付けた例を示している。
【００６３】
図３（ａ）に示すとおり、物品保持部４０には、切り目４４が形成されている。図３（ｂ）に示すとおり、物品保持部４０は、切り目４４に取り囲まれた領域を他の領域から離間させてフック４２を形成している。図３に示す物品保持部４０には、複数のフック４２（図３では５つのフック４２）が上下方向Ｈに所定の間隔で並べて配置させるように形成されている。物品保持部４０は、フック４２にサンプルＳなどを引っ掛けて保持させることができる。これにより、販促物１０は、カバー１２に表示される広告とともにサンプルＳを提示して保持することができる。
【００６４】
物品保持部４０は、上述のとおり、カバー１２のいかなる位置に取り付けられるものであってもよい。なお、物品保持部４０は、利用者が把手しやすい位置や高さに配置されることが望ましい。また、物品保持部４０は、表示領域１８において表示される広告の表示内容を阻害しない位置（例えば表示領域１８の側方）に取り付けられることが望ましい。
【００６５】
図４に示すとおり、防犯ゲート１に販促物１０（カバー１２）を被せた状態では、防犯ゲート１の大部分が覆い隠される。そのため、販促物１０は、防犯ゲート１が来店者の目に触れないようにして設置して、来店者への威圧感や不快感を低減させることができる
【００６６】
また、販促物１０は、防犯ゲート１を覆い隠しつつ、防犯ゲート１の立設面を利用して広告を表示させることができる。その結果、販促物１０は、店頭の限られたスペースを活用して、来店者の目に付きやすい場所で広告を表示させることができる。その結果、販促物１０は、効率的な販売促進を行うことができる。
【００６７】
さらに、販促物１０は、物品保持部４０にサンプルＳを保持させることができる。これにより、販促物１０は、店舗の出入口等、来店者の目に触れやすい場所でサンプルＳを提示して提供することができる。また、例えば、販促物１０の表示領域１８に表示される広告対象の商品と、物品保持部４０に保持させるサンプルＳに係る商品とを、同一の商品とすれば、商品のイメージ広告や詳細を表示しつつサンプルＳを提供して、より効果的な販売促進を行うことができる。
【００６８】
さらに、販促物１０には、窓部２０が設けられている。そのため、防犯ゲート１の検知対象物の検知機能を低下させることなく防犯ゲート１を覆い隠すことができる。
【００６９】
このように、販促物１０によれば、店舗の出入口などに設置される防犯ゲート１を覆い隠しつつ、限られたスペースに広告等を表示させることができる。
【００７０】
以上、本考案の実施形態に係る販促物１０について説明したが、本考案の販促物は上述の実施形態に限定されない。
【００７１】
具体的には、上述の実施形態では、物品保持部４０を備える販促物１０を一例として示したが、本考案の販促物はこれに限定されない。例えば、本考案の販促物は、物品保持部を備えないものであってもよい。また、本考案の販促物は、２以上の物品保持部を備えるものであってもよい。
【００７２】
また、上述の実施形態では、上方窓部２２及び中央窓部２４の双方が設けられた販促物１０について説明したが、本考案の販促物はこれに限定されない。例えば、本考案の販促物は、上方窓部及び中央窓部のうち、一方が設けられたものであってもよい。また、本考案の販促物は、覆い隠す対象とする防犯ゲート１の構造によって、窓部の位置が適宜選択されることが望ましい。
【００７３】
さらに、上述の実施形態では、１枚のシート素材を二つ折りとして、両脇を接合させて袋状とされた販促物１０を示したが、本考案の販促物はこれに限定されない。例えば、本考案の販促物は、２枚以上のシート素材を接合して、袋状の形状をなすものであってもよい。
【産業上の利用可能性】
【００７４】
本考案は、防犯ゲートを覆い隠しつつ広告を表示させる販促物として、好適に採用することができる。
【符号の説明】
【００７５】
１        防犯ゲート
１０      販促物
１２      カバー
１４ａ    第一構成部
１４ｂ    第二構成部
１６      連結部
１８      表示領域
１８ａ    第一表示領域（表示領域）
１８ｂ    第二表示領域（表示領域）
２０      窓部
２２      上方窓部（窓部）
２４      中央窓部（窓部）
４０      物品保持部（物品保持部材）
４１      基材
４２      フック
４４      切り目
Ｈ        上下方向
Ｗ        幅方向
Ｓ        サンプル（物品）
【図１】
0003217478.tif 000003
【図２】
0003217478.tif 000004
【図３】
0003217478.tif 000005
【図４】
0003217478.tif 000006